(57)【要約】【課題】ボールねじ支持用軸受あるいは回転軸支持用軸受として現在使用されている二列組合せアンギュラ玉軸受からの代替が可能で、かつ正確な位置決めと予圧付与が可能な多点接触玉軸受を提供する。【解決手段】外輪１０ａ及び内輪１０ｂのうち何れか一方の軌道輪を、外輪軌道溝１０ｅまたは内輪軌道溝１０ｆの中央部を軌道輪のラジアル方向に分断する軌道溝分断面を軸方向の一端に有する二つの円筒部材と、これら円筒部材の外周面または内周面に形成されたスナップリング溝に係合して円筒部材の端面同士を突き合わせた状態に保持するスナップリング１４とから構成し、かつスナップリング１４を合成樹脂で形成する。【選択図】  図２
2005061433.tif 000002
【特許請求の範囲】
【請求項１】
外輪の内周面に形成された外輪軌道溝および／又は内輪の外周面に形成された内輪軌道溝を前記外輪と前記内輪との間に設けられた多数の玉に対して２点で接触する形状に形成し、前記外輪軌道溝及び内輪軌道溝と前記玉との接触点を３点以上とした多点接触玉軸受であって、
前記外輪及び内輪のうち何れか一方の軌道輪を、前記外輪軌道溝または前記内輪軌道溝の中央部を軌道輪のラジアル方向に分断する軌道溝分断面を軸方向の一端に有する二つの円筒部材と、これら円筒部材の外周面または内周面に形成されたスナップリング溝に係合して前記円筒部材の端面同士を突き合わせた状態に保持するスナップリングとから構成するとともに、前記スナップリングを合成樹脂で形成したことを特徴とする多点接触玉軸受。
【請求項２】
請求項１記載の多点接触玉軸受において、前記スナップリング溝底部と、前記円筒部材の突き合わせ面と離れた側のスナップリング溝肩部との交点が前記軌道溝に所定の角度で接触する玉の接触角線の延長線より前記円筒部材の突き合わせ面側に位置することを特徴とする多点接触玉軸受。
【請求項３】
請求項１又は２記載の多点接触玉軸受において、前記玉の直径をＤ、前記軌道溝の曲率をＲ、前記玉と軌道溝との接触角をαとしたとき、前記接触角αを１２．５°＜α≦１７．５°とし、かつ前記玉の直径に対する前記軌道溝の曲率比Ｒ／ＤをＲ／Ｄ＝０．５４〜０．５５５としたことを特徴とする多点接触玉軸受。
【請求項４】
請求項１又は２記載の多点接触玉軸受において、前記玉の直径をＤ、前記軌道溝の曲率をＲ、前記玉と軌道溝との接触角をαとしたとき、前記接触角αを１７．５°＜α≦２２．５°とし、かつ前記玉の直径に対する前記軌道溝の曲率比Ｒ／Ｄを０．５５５＜Ｒ／Ｄ≦０．５７としたことを特徴とする多点接触玉軸受。
【請求項５】
請求項１又は２記載の多点接触玉軸受において、前記玉の直径をＤ、前記軌道溝の曲率をＲ、前記玉と軌道溝との接触角をαとしたとき、前記接触角αを２２．５°＜α≦２７．５°とし、かつ前記玉の直径に対する前記軌道溝の曲率比Ｒ／Ｄを０．５７＜Ｒ／Ｄ≦０．５９としたことを特徴とする多点接触玉軸受。
【請求項６】
請求項１又は２記載の多点接触玉軸受において、前記玉の直径をＤ、前記軌道溝の曲率をＲ、前記玉と軌道溝との接触角をαとしたとき、前記接触角αを２７．５°＜α≦３２．５°とし、かつ前記玉の直径に対する前記軌道溝の曲率比Ｒ／Ｄを０．５９＜Ｒ／Ｄ≦０．６１としたことを特徴とする多点接触玉軸受。
【請求項７】
前記多点接触玉軸受は、ボールねじのボールねじ軸を支承するボールねじ支持用軸受であることを特徴とする請求項１乃至６のいずれか１記載の多点接触玉軸受。
【発明の詳細な説明】
【０００１】
【発明の属する技術分野】
本発明は、たとえばＩＴ関連製品の製造工程や組立工程などで半導体チップ、液晶等の電子部品を基板上に実装もしくは装着する電子部品実装装置や、放電加工機、レーザ加工機等の非切削型工作機械またはタッピングセンター等の軽切削加工機などで使用される精密位置決め用ボールねじのボールねじ軸を支承するボールねじ支持用玉軸受、あるいは一般産業機機械の回転軸を支承する回転軸支持用玉軸受として用いられる多点接触玉軸受に関する。
【０００２】
【従来の技術】
従来、電子部品実装装置や工作機械等で使用される精密位置決め用ボールねじのボールねじ軸は、図２１に示されるような軸受装置によって支持されていることが多い。この軸受装置は二列組合せ軸受１と、この二列組合せ軸受１の周囲を密封する軸受ハウジング２と、この軸受ハウジング２の軸方向両端部に設けられたオイルシール３とからなり、二列組合せ軸受１は、図２２に示されるように、二つのアンギュラ玉軸受４から構成されている。これらのアンギュラ玉軸受４は外輪４ａ、内輪４ｂ、玉４ｃ等からなり、内輪４ｂは、図２１に示されるように、ボールねじ軸５の端部に形成された大径軸部５ａの端面に押えリング６及び軸受ナット７によって押付け固定されている。なお、軸受ハウジング２は円筒状のハウジング本体２ａと、このハウジング本体２ａのフランジ部２ｂにボルト接合される環状の外輪押え２ｃとから構成されている。
【０００３】
ところで、アンギュラ玉軸受は深溝玉軸受に比べ、以下のような特徴を持っている。
（１）一列当りの玉数が多く、荷重負荷能力及び剛性が大きい。
（２）保持器形状が強固であり、高速回転が可能。
（３）単列では一方向のアキシャル荷重しか負荷することができないが、アンギュラ玉軸受を二列の組合せとすることにより、両方向のアキシャル荷重を負荷することが可能となる。
【０００４】
（４）二つのアンギュラ玉軸受の端面間に形成されるギャップｇ（図２２参照）を調整することにより、軸受の内部すき間を無くし、予め内部荷重を発生させること（いわゆる定位置予圧）が容易である。予圧をかけることで、軸受剛性の向上や高回転精度を得ることが可能となる。
アンギュラ玉軸受は以上のような特徴を持っていることから、旋盤やフライス盤、研削盤等の工作機械においてスピンドルを支持する軸受と使用される他、高精度の位置決めを必要とする機械（例えば工作機械用精密ボールねじ、電子部品高速装着機用精密ボールねじ、搬送ロボット用ボールねじ等）にも広く使用されている。しかし、ボールねじのボールねじ軸を支持する軸受としてアンギュラ玉軸受を使用する場合、ボールねじ軸には両アキシャル方向の負荷荷重が作用するため、単列のアンギュラ玉軸受のみではボールねじ軸に作用する負荷荷重を支持することができない。従って、切削型あるいは研削型工作機械のベッドを移動させる手段として用いられるボールねじでは、加工荷重の反力による変位を最小限に抑え、かつ所要の加工精度を得るために、軸方向剛性が極めて大きく、かつ接触角が６０°程度のスラストアンギュラ玉軸受を２〜４列に組合せたものをボールねじ支持用軸受として使用している場合が多い。この場合、ラジアル方向の負荷荷重は、ボールねじとセットで使用されるリニアガイドやアリ溝が受ける構造となっている。
【０００５】
一方、放電加工機、レーザ加工機等の電解加工型工作機械や電子部品実装装置、部品搬送ロボット等では、実加工時の負荷荷重が比較的小さいことから、ボールねじ軸を支持する軸受として、例えば内径寸法が６ｍｍ〜４０ｍｍ程度で、接触角が１５°〜３０°程度の標準型アンギュラ玉軸受（寸法系列７０××、７２××等）を二列に組合せ、数十Ｎから数百Ｎの比較的小さな予圧をかけたものを使用する場合が多い。
【０００６】
【発明が解決しようとする課題】
上述のように、ボールねじ支持用軸受として現在使用されるアンギュラ玉軸受において予圧をかけるためには、どうしても二列組合せが条件となる。当然、軸受を装着する軸およびハウジング部分のスペースも単列での使用に対して２倍必要となり、機械全体のスペース増につながる。
ＩＴ部品等の組立ラインや装着ラインでは、工程に応じて部品実装装置や搬送ロボットが数多く使用されているため、上記のスペース増はライン構成の点で問題になる。また、二列組合せアンギュラ玉軸受を１台の機械で数ヶ所使用すると、各ボールねじ支持用軸受部分が干渉することが懸念される。これに加えて、最近では、部品の実装速度を上げてタクトタイムを短縮化することが要求されており、可動部分の軽量化による急加減速時の慣性力軽減要求も非常に高い。これは、一般産業機械の回転軸支持用軸受でも同様のことが言える。
【０００７】
本発明は上記のような問題点に鑑みてなされたものであり、その目的とするところは、ボールねじ支持用軸受あるいは回転軸支持用軸受として現在使用されている二列組合せアンギュラ玉軸受からの代替が可能で、かつ正確な位置決めと予圧付与が可能な多点接触玉軸受を提供することにある。
また、多点接触玉軸受で軸受の剛性を上げたり、負荷容量を増加させたりするためには、玉数を出来るだけ多くする必要があり、その場合、内輪または外輪を軌道溝の中央で分割することが必要である。内輪または外輪を軌道溝の中央で分割しておけば、分割されない側の軌道輪に玉を配置して、その後、分割側軌道輪を軸方向から合せて組立てることが可能となる。
この場合、軸受の製造組立時に軸やハウジングを組み込む際、分割された軌道輪が脱落したり、あるいは軸受内部に異物が混入したりする不具合が生じる可能性がある。本発明の目的は、分割された軌道輪を一体化して、これらの不具合を解消することにある。
【０００８】
【課題を解決するための手段】
上記の目的を達成するために、請求項１の発明は、外輪の内周面に形成された外輪軌道溝および／又は内輪の外周面に形成された内輪軌道溝を前記外輪と前記内輪との間に設けられた多数の玉に対して２点で接触する形状に形成し、前記外輪軌道溝及び内輪軌道溝と前記玉との接触点を３点以上とした多点接触玉軸受であって、前記外輪及び内輪のうち何れか一方の軌道輪を、前記外輪軌道溝または前記内輪軌道溝の中央部を軌道輪のラジアル方向に分断する軌道溝分断面を軸方向の一端に有する二つの円筒部材と、これら円筒部材の外周面または内周面に形成されたスナップリング溝に係合して前記円筒部材の端面同士を突き合わせた状態に保持するスナップリングとから構成するとともに、前記スナップリングを合成樹脂で形成したことを特徴とする。
【０００９】
請求項２の発明は、請求項１記載の多点接触玉軸受において、前記スナップリング溝底部と、前記円筒部材の突き合わせ面と離れた側のスナップリング溝肩部との交点が前記軌道溝に所定の角度で接触する玉の接触角線の延長線より前記円筒部材の突き合わせ面側に位置することを特徴とする。
請求項３の発明は、請求項１又は２記載の多点接触玉軸受において、前記玉の直径をＤ、前記軌道溝の曲率をＲ、前記玉と軌道溝との接触角をαとしたとき、前記接触角αを１２．５°＜α≦１７．５°とし、かつ前記玉の直径に対する前記軌道溝の曲率比Ｒ／ＤをＲ／Ｄ＝０．５４〜０．５５５としたことを特徴とする。
【００１０】
請求項４の発明は、請求項１又は２記載の多点接触玉軸受において、前記玉の直径をＤ、前記軌道溝の曲率をＲ、前記玉と軌道溝との接触角をαとしたとき、前記接触角αを１７．５°＜α≦２２．５°とし、かつ前記玉の直径に対する前記軌道溝の曲率比Ｒ／Ｄを０．５５５＜Ｒ／Ｄ≦０．５７としたことを特徴とする。
請求項５の発明は、請求項１又は２記載の多点接触玉軸受において、前記玉の直径をＤ、前記軌道溝の曲率をＲ、前記玉と軌道溝との接触角をαとしたとき、前記接触角αを２２．５°＜α≦２７．５°とし、かつ前記玉の直径に対する前記軌道溝の曲率比Ｒ／Ｄを０．５７＜Ｒ／Ｄ≦０．５９としたことを特徴とする。
【００１１】
請求項６の発明は、請求項１又は２記載の多点接触玉軸受において、前記玉の直径をＤ、前記軌道溝の曲率をＲ、前記玉と軌道溝との接触角をαとしたとき、前記接触角αを２７．５°＜α≦３２．５°とし、かつ前記玉の直径に対する前記軌道溝の曲率比Ｒ／Ｄを０．５９＜Ｒ／Ｄ≦０．６１としたことを特徴とする。
請求項７の発明は、請求項１乃至６のいずれか１記載の多点接触玉軸受において、前記多点接触玉軸受が、ボールねじのボールねじ軸を支承するボールねじ支持用軸受であることを特徴とする。
【００１２】
【作用】
本発明に係る多点接触玉軸受は、外輪の内周面に形成された外輪軌道溝および／又は内輪の外周面に形成された内輪軌道溝を前記外輪と前記内輪との間に設けられた多数の玉に対して２点で接触する形状に形成し、外輪軌道溝及び内輪軌道溝と玉との接触点を３点以上とした多点接触玉軸受である。外輪及び内輪のうち何れか一方の軌道輪は、外輪軌道溝または内輪軌道溝の中央部を軌道輪のラジアル方向に分断する軌道溝分断面を軸方向の一端に有する二つの円筒部材と、これら円筒部材の外周面または内周面に形成されたスナップリング溝に係合して円筒部材の端面同士を突き合わせた状態に保持する合成樹脂製のスナップリングとから構成されている。
【００１３】
玉が軌道溝と４点で接触する多点接触玉軸受は、図１９に示されるように、外輪１０ａおよび内輪１０ｂに形成された軌道溝１０ｅ，１０ｆのいずれもが二つの円弧でゴシックアーチ状に形成されている。一方、玉１０ｃが軌道溝１０ｅ，１０ｆと３点で接触する多点接触玉軸受は、図２０に示されるように、外輪１０ａおよび内輪１０ｂに形成された軌道溝１０ｅ，１０ｆのいずれか一方が一つの円弧、もう一方が二つの円弧でゴシックアーチ状に形成されている（図２０では、１０ｆが二つの円弧で形成されている）。
【００１４】
スナップリング溝底部と円筒部材の突き合わせ面と離れた側のスナップリング溝肩部との交点は、軌道溝に所定の角度で接触する玉の接触角線の延長線より円筒部材の突き合わせ面側に位置している。このような構成とすることで、軸受に荷重を負荷した時の玉と軌道溝との接触部で接触角方向の荷重がスナップリング溝の形成されている薄肉部分に直接負荷されることがないので、軸やハウジングにバックアップされた部分で負荷荷重を受けることができる。これにより、軌道輪の変形を抑制することができ、その結果、軌道輪の破損、軸受剛性の低下、軌道溝の摩耗、寿命低下等を防止できる。
【００１５】
また、本発明に係る多点接触玉軸受は、軸受の負荷容量や剛性を上げるために、隣り合う玉間の円周ピッチを極力小さくし、標準のアンギュラ玉軸受に比べ、玉径を同等サイズかやや小さくし、玉数を多くしている。
本発明に係る多点接触玉軸受において、外輪及び内輪のうち何れか一方の軌道輪を、外輪軌道溝または内輪軌道溝の中央部を軌道輪のラジアル方向に分断する軌道溝分断面を軸方向の一端に有する二つの円筒部材と、これら円筒部材の外周面または内周面に形成されたスナップリング溝に係合して円筒部材の端面同士を突き合わせた状態に保持するスナップリングとから構成するとともに、スナップリングを合成樹脂で形成したことにより、次のような効果が得られる。
【００１６】
（１）別体となった内輪または外輪の軸方向脱落防止（ボールねじ支持用軸受とした時に取扱いが向上する）。
（２）ボールねじ軸またはハウジングに軸受を組込む際の組込み性が向上
（３）スナップリングの取り外しが容易であり、メンテナンスやグリースの補給等を容易に行うことができる。
【００１７】
（４）スナップリング材料として金属ではなく合成樹脂を用いることにより、軸受回転中の振動によるスナップリングのガタツキを抑制でき、これにより、スナップリングのガタツキによる振動音を小さく抑えることができる。
スナップリングは軸受を単体で取り扱う際の軸受の分解防止が目的であり、しかも軸受を軸またはハウジングに組込んだ後は外輪及び内輪が軸受ナットや外輪押えによって強固に固定される。従って、スナップリングには荷重が負荷されることがないので、スナップリングを形成する材料として、必ずしも金属を用いる必要はない。また、スナップリングを合成樹脂で形成した場合は、金属製のスナップリングに比較して二つの円筒部材を挟圧する力が小さいので、軌道輪の変形を抑制できる。特に、外輪はハウジング内に隙間嵌めで組み込まれることが多いので、軌道輪に変形が生じると軌道輪の変形がそのまま残り易い。
【００１８】
ここで、通常、一般の用途では、軸受は内輪回転が主で、静止ラジアル荷重が負荷する場合（いわゆる内輪回転荷重）が多い。この場合、内輪に発生し易いフレッチングを防止するため、内輪を締りばめにし、外輪をすき間ばめにする。このため、軸受を軸やハウジングに組込む場合、先ず、軸に内輪を圧入または焼嵌めした後、外輪をハウジングに挿入する方法が採られることが多い。しかし、ボールねじ支持用軸受では、アキシャル荷重のみでラジアル荷重を負荷しない用途のため、外輪および内輪をすき間ばめ（ｈ又はＨ嵌め合い）に設定し、軸方向を軸受ナット等で確りと締結する方法が採られている。このような嵌め合いの他に、軸が長尺のボールねじであることもあり、軸受がハウジングに挿入されたボールねじサポートユニットとして予め作られており、そのユニットをすき間ばめのねじ軸に挿入するとい組込み方法が採られることが多い。このような場合、内輪が別体となった多点接触玉軸受が使用された場合には、サポートユニットとして取り扱い難いと共に、組込み性が極めて悪く、誤って内輪を分離・落下させた場合、軸受内部への異物の侵入や落下した内輪に打痕きず等を発生させる虞がある。本発明に係る多点接触玉軸受は、ボールねじ支持用軸受としてだけでなく、一般産業機械の回転軸支持用軸受としても用いることができ、この場合でも上記のような不具合が防止される。
【００１９】
ラジアル方向に二分割された外輪または内輪の隣り合う端面間には、図１７または図１８に示されるように、幾何的に３点または４点接触（軸受接触角α）で適度な予圧すき間（Δａ）が形成されており、二列組合せアンギュラ玉軸受と同様に、軸受ナットや抑えふたで内輪または外輪の端部を軸方向に押付け固定することで適正な予圧をかけることができる。
【００２０】
一般産業機械の一部に使用されている多点接触玉軸受は内部すき間が残っている状態で製作され、アキシャル荷重を専用で負荷する用途で使用される場合が多い。例えば、多点接触玉軸受をスクリューコンプレッサ等で使用する場合は、ラジアル荷重負荷用円筒ころ軸受と並列に使用され、スクリューロータ軸に作用するアキシャル荷重のみを受ける構造となっている。また、ジェットエンジンやガスタービン等で多点接触玉軸受を使用する場合は、タービン軸推力のみを負荷し、ラジアル荷重がほとんど負荷しない条件での使用となる。つまり、多点接触玉時受とは呼びつつも実際の使用条件においては、外輪および内輪に形成された軌道溝と玉とはそれぞれ一点で接触する標準の玉軸受としての使用がほとんどであった。この理由は、玉と軌道溝とが多点で接触することによって、通常の転がり運動と共に発生するスピン滑り等が標準アンギュラ玉軸受に比べ玉と軌道溝との接触部間で極端に増加するためである。このため、運転時の発生トルクも大きく、発熱も異常に高くなり、安定した運転は望めない。
【００２１】
このような理由から、多点で常時接触する予圧条件下での使用は極めて少なく、インデックステーブルや旋回輪等、軸受のｄｍｎ値（ｄｍ：転動体ピッチ円直径（ｍｍ）とｎ：回転数（ｍｉｎ−１）との積）が数万程度の回転数が極めて低い用途に限定されていた。
本発明に係る多点接触玉軸受は、加工物や搬送部品の位置決め精度を確保するために、単列軸受でありながら予圧をかけられる構造である。また、予圧による多点接触条件下においても玉と軌道溝との接触部のスピン滑り等を抑制し、軸受の発熱や摩耗を抑え、低トルクで円滑に回転できる構造である。
【００２２】
本発明に係る多点接触玉軸受では、軸方向の取付けスペースが従来の二列組合せアンギュラ玉軸受の約半分で済むため、省スペース化が可能となり、部品間の干渉問題が軽減される。また、内輪取付け分のねじ軸端部寸法が短くなる分を含めた可動部分の軽量化が図られ、急加速及び急減速時のイナーシャ（慣性力）が軽減されるので、電子部品の製造工程や組立工程で使用される機械（例えば電子部品実装装置、各種ボンダー、ハンドラー、搬送ロボット等）の実装速度を向上してタクトタイムの短縮に寄与できる。
【００２３】
【発明の実施の形態】
以下、本発明の実施の形態を図面に基づいて説明する。
図１は本発明に係る多点接触玉軸受をボールねじ支持用軸受として適用した場合の第１実施形態を示す図であり、同図に示されるように、第１の実施形態に係るボールねじ支持用軸受は、ボールねじ軸５を支持する４点接触玉軸受１０と、この玉軸受１０の周囲を密封する軸受ハウジング２と、この軸受ハウジング２の軸方向両端部に設けられたオイルシール３とから構成されている。
【００２４】
図２は、４点接触玉軸受１０の軸方向断面図である。同図に示されるように、４点接触玉軸受１０は外輪１０ａ、内輪１０ｂ、玉１０ｃ、保持器１０ｄ（図４参照）等から構成されており、外輪１０ａの内周面中央部には、外輪軌道溝１０ｅが外輪１０ａの円周方向に沿って形成されている。この外輪軌道溝１０ｅの軸方向断面は、図１９に示されるように、Ｒｅの曲率半径を有する二つの円弧つまりゴシックアーチ状に形成されており、これにより、玉１０ｃは外輪軌道溝１０ｅと二点で接触するようになっている。
【００２５】
一方、内輪１０ｂの外周面中央部には、内輪軌道溝１０ｆが内輪１０ｂの円周方向に沿って形成されている。この内輪軌道溝１０ｆの軸方向断面は、図１９に示されるように、Ｒｉの曲率半径を有する二つの円弧つまりゴシックアーチ状に形成されており、これにより、玉１０ｃは内輪軌道溝１０ｆと二点で接触するようになっている。
【００２６】
４点接触玉軸受１０の内輪１０ｂは、図１に示されるように、ボールねじ軸５の端部に形成された大径軸部５ａの端面に押えリング６及び軸受ナット７によって押付け固定されている。
外輪１０ａおよび内輪１０ｂのうち一方の軌道輪（本実施形態では内輪１０ｂ）は、図３に示されるように、二つの円筒部材１２ａ，１２ｂと、これら円筒部材１２ａ，１２ｂの端面同士を突き合わせた状態に保持するスナップリング１４とで構成されている。
【００２７】
円筒部材１２ａ，１２ｂは軸方向の一端に環状の軌道溝分断面（円筒部材の突き合わせ面）１３をそれぞれ有しており、内輪１０ｂの外周面に形成された内輪軌道溝１０ｆは、円筒部材１２ａ，１２ｂの軌道溝分断面１３によって内輪１０ｂのラジアル方向に分断されている。
スナップリング１４は内輪１０ｂの円周方向に沿ってほぼＣ字状（周方向の１箇所で切り欠かれている）に形成されており、このスナップリング１４の軸方向両端部には、円筒部材１２ａ，１２ｂの内周面に形成されたスナップリング溝１６ａ，１６ｂ（図３参照）に係合する係合片部１５ａ，１５ｂ（図２参照）が設けられている。また、スナップリング１４は治具挿入孔１７（図３参照）を有しており、この治具挿入孔１７に治具を差し込むことにより内輪１０ｂへの取付け及び取外しを容易に行えるようになっている。
【００２８】
さらに、スナップリング１４は例えばポリアミド、ポリアセタール、ポリフェニレンサルファイド等の合成樹脂材あるいはガラス繊維、炭素繊維等の補強材を混合した合成樹脂材で形成されている。スナップリング溝１６ａ，１６ｂの上記突き合わせ面１３から離れた側の肩部１６ａ１，１６ｂ１とスナップリング溝底部１６ａ２，１６ｂ２との交点をＰ１，Ｐ２とした時、Ｐ１，Ｐ２が軌道溝１０ｆに所定の角度で接触する玉１０ｃの接触角線Ｌ１，Ｌ２よりも突き合わせ面１３側に位置している（図３参照）。
【００２９】
このような位置関係で、円筒部材１２ａ，１２ｂの内周面に形成されたスナップリング溝１６ａ，１６ｂに係合して円筒部材１２ａ，１２ｂの端面同士を突き合わせた状態に保持するスナップリング１４を合成樹脂で形成したことで、金属製のスナップリングを用いた場合のように、スナップリングにガタツキがあっても振動音の発生を抑制できる。また、円筒部材１２ａ，１２ｂの軸方向端面を突き合わせた状態に保持する保持力が金属製のスナップリングに比べて小さいので、スナップリングの保持力によって円筒部材に変形が生じることを抑制できる。さらに、スナップリングを金属で形成した場合に比較して、製作コストや取扱い性の点でも有利である。
【００３０】
また、交点Ｐ１，Ｐ２を軌道溝１０ｆに所定の角度で接触する玉１０ｃの接触角線Ｌ１，Ｌ２よりも突き合わせ面１３側に位置させれば、図２に示すように、軸受に荷重（例えば軸方向荷重Ｆ）が負荷した時の玉１０ｃと軌道溝１０ｅ，１０ｆとの接触部での接触角方向の転動体荷重がスナップリング溝１６ａ，１６ｂの形成されている薄肉部分に直接負荷されることがないので、軸５やハウジング２にバックアップされた部分で負荷荷重を受けることができる。これにより、内輪１０ｂの変形を抑制することができ、その結果、軌道輪の破損、軸受剛性の低下、軌道溝の摩耗及び寿命低下等を防止できる。
【００３１】
図４は、玉１０ｃと保持器１０ｄの一部を示す斜視図である。同図に示されるように、保持器１０ｄは冠形の形状を有しており、ポリアミド、ポリアセタール、ポリフェニレンサルファイド等の合成樹脂材から形成されている。また、負荷容量を上げる等の必要性が生じた場合、保持器のない総玉設計も可能である。なお、軸受ハウジング２は円筒状のハウジング本体２ａと、このハウジング本体２ａのフランジ部２ｂにボルト接合される環状の外輪押え２ｃとから構成されている。
【００３２】
このような構成において、玉１０ｃの直径をＤ、軌道溝１０ｅ，１０ｆの曲率をＲｅ，Ｒｉ、玉１０ｃと軌道溝１０ｅ，１０ｆとの接触角をαとすると、本実施形態に係る４点接触玉軸受１０は、接触角αが１２．５°＜α≦３２．５°の範囲内にあり、かつ玉の直径に対する軌道溝１０ｅ，１０ｆの曲率比Ｒｅ／Ｄ，Ｒｉ／ＤがＲｅ／Ｄ＝Ｒｉ／Ｄ＝０．５４〜０．６１の範囲内にある。
【００３３】
図５は本発明に係る多点接触玉軸受をボールねじ支持用軸受として適用した場合の第２実施形態を示す図であり、同図に示されるように、第２の実施形態に係るボールねじ支持用軸受は、ボールねじ軸５を支持する４点接触玉軸受１０と、この玉軸受１０の周囲を密封する軸受ハウジング２と、この軸受ハウジング２の軸方向両端部に設けられたオイルシール３とから構成されている。
【００３４】
４点接触玉軸受１０は、図６に示されるように、外輪１０ａ、内輪１０ｂ、玉１０ｃ等から形成されており、外輪１０ａの内周面には、外輪軌道溝１０ｅが外輪１０ａの円周方向に沿って形成されている。この外輪軌道溝１０ｅの軸方向断面は曲率半径がＲｅの二つの円弧つまりゴシックアーチ状に形成されており、これにより、玉１０ｃは外輪軌道溝１０ｅと二点で接触するようになっている。
【００３５】
一方、内輪１０ｂの外周面には内輪軌道溝１０ｆが外輪軌道溝１０ｅに対向して形成されている。この内輪軌道溝１０ｆの軸方向断面は曲率半径がＲｉの二つの円弧つまりゴシックアーチ状に形成されており、これにより、玉１０ｃは内輪軌道溝１０ｆと二点で接触するようになっている。
４点接触玉軸受１０の内輪１０ｂは、図５に示されるように、ボールねじ軸５の端部に形成された大径軸部５ａの端面に押えリング６及び軸受ナット７によって押付け固定されている。
【００３６】
外輪１０ａおよび内輪１０ｂのうち一方の軌道輪（本実施形態では外輪１０ａ）は、図７に示されるように、二つの円筒部材１８ａ，１８ｂと、これら円筒部材１８ａ，１８ｂの端面同士を突き合わせた状態に保持するスナップリング２０とで構成されている。
円筒部材１８ａ，１８ｂは軸方向の一端に環状の軌道溝分断面（円筒部材の突き合わせ面）１９をそれぞれ有しており、外輪１０ａの内周面に形成された外輪軌道溝１０ｅは、円筒部材１８ａ，１８ｂの軌道溝分断面１９によって外輪１０ａのラジアル方向に分断されている。
【００３７】
スナップリング２０は外輪１０ａの円周方向に沿ってほぼＣ字状（周方向の１箇所で切り欠かれている）に形成されており、このスナップリング２０の軸方向両端部には、円筒部材１８ａ，１８ｂの外周面に形成されたスナップリング溝２２ａ，２２ｂ（図７参照）に係合する係合片部２１ａ，２１ｂ（図６参照）が設けられている。さらに、スナップリング２０は治具挿入孔２３（図７参照）を有しており、この治具挿入孔２３に治具を差し込むことにより外輪１０ａへの取付け及び取外しを容易に行えるようになっている。なお、軸受サイズが小径で、スナップリング２０の厚みが薄ければ、スナップリング２０の内径を容易に拡げることができるので、スナップリング２０に治具挿入孔２３を必ずしも設ける必要はない。
【００３８】
また、スナップリング２０は例えばポリアミド、ポリアセタール、ポリフェニレンサルファイド等の合成樹脂材あるいはガラス繊維、炭素繊維等の補強材を混合した合成樹脂材で形成されている。スナップリング溝２２ａ，２２ｂの上記突き合わせ面１９から離れた側の肩部２２ａ１，２２ｂ１とスナップリング溝底部２２ａ２，２２ｂ２との交点をＰ１，Ｐ２とした時、Ｐ１，Ｐ２が軌道溝１０ｅに所定の角度で接触する玉１０ｃの接触角線Ｌ１，Ｌ２よりも突き合わせ面１９側に位置している（図７参照）。
【００３９】
このように、円筒部材１８ａ，１８ｂの外周面に形成されたスナップリング溝２２ａ，２２ｂに係合して円筒部材１８ａ，１８ｂの端面同士を突き合わせた状態に保持するスナップリング２０を合成樹脂で形成したことで、金属製のスナップリングを用いた場合のように、スナップリングにガタツキがあっても振動音の発生を抑制できる。また、円筒部材１８ａ，１８ｂの軸方向端面を突き合わせた状態に保持する保持力が金属製のスナップリングに比べて小さいので、スナップリングの保持力によって円筒部材に変形が生じることを抑制できる。さらに、スナップリングを金属で形成した場合に比較して、製作コストや取扱い性の点でも有利である。特に、円筒部材１８ａ，１８ｂが外輪１０ａを構成する場合は、外輪１０ａとハウジング２との間が隙間嵌合なので、ハウジング２に外輪１０ａを組み込んだ後もそのまま変形が残る点でスナップリング２０を合成樹脂で形成したほうが有利である。
【００４０】
また、交点Ｐ１，Ｐ２を軌道溝１０ｅに所定の角度で接触する玉１０ｃの接触角線Ｌ１，Ｌ２よりも突き合わせ面１９側に位置させれば、図６に示すように、軸受に荷重（例えば軸方向荷重Ｆ）が負荷した時の玉１０ｃと軌道溝１０ｅ，１０ｆとの接触部での接触角方向の転動体荷重がスナップリング溝２２ａ，２２ｂの形成されている薄肉部分に直接負荷されることがないので、軸５やハウジング２にバックアップされた部分で負荷荷重を受けることができる。これにより、外輪１０ａの変形を抑制することができ、その結果、軌道輪の破損、軸受剛性の低下、軌道溝の摩耗及び寿命低下等を防止できる。
【００４１】
このような構成において、玉１０ｃの直径をＤ、軌道溝１０ｅ，１０ｆの曲率をＲｅ，Ｒｉ、玉１０ｃと軌道溝１０ｅ，１０ｆとの接触角をαとすると、本実施形態に係る４点接触玉軸受１０は、接触角αが１２．５°＜α≦３２．５°の範囲内にあり、かつ玉の直径に対する軌道溝１０ｅ，１０ｆの曲率比Ｒｅ／Ｄ，Ｒｉ／ＤがＲｅ／Ｄ＝Ｒｉ／Ｄ＝０．５４〜０．６１の範囲内にある。
【００４２】
ところで、多点接触玉軸受をボールねじ支持用軸受として使用する場合、多点接触玉軸受に要求される点は動トルクをある範囲内に抑え、かつスムーズな回転立上り性と回転立下り性を得られる点である。このような要求を満たすために、本発明者は、種々の組合せ条件についてコンピュータによる解析を行い、その解析結果から表１に示すような仕様の実施例Ａ〜Ｄを見出した。
【００４３】
【表１】
2005061433.tif 000003
【００４４】
表１において、実施例Ａは接触角αを１２．５°＜α≦１７．５°とし、かつ玉１０ｃの直径Ｄに対する軌道溝１０ｅ，１０ｆの曲率比（以下、「溝曲率比」という）ｆｉ，ｆｅを０．５４≦ｆｉ≦０．５５５、０．５４≦ｆｅ≦０．５５５とした４点接触玉軸受であり、実施例Ｂは接触角αを１７．５°＜α≦２２．５°とし、かつ溝曲率比ｆｉ，ｆｅを０．５５５＜ｆｉ≦０．５７、０．５５５＜ｆｅ≦０．５７とした４点接触玉軸受である。また、実施例Ｃは接触角αを２２．５°＜α≦２７．５°とし、かつ溝曲率比ｆｉ，ｆｅを０．５７＜ｆｉ≦０．５９、０．５７＜ｆｅ≦０．５９とした４点接触玉軸受であり、実施例Ｄは接触角αを２７．５°＜α≦３２．５°とし、かつ溝曲率比ｆｉ，ｆｅを０．５９＜ｆｉ≦０．６１、０．５９＜ｆｅ≦０．６１とした４点接触玉軸受である。
表１に示した実施例Ａ〜Ｄと従来例（二列組合せアンギュラ玉軸受（７０１０Ａ、軸受内径：５０ｍｍ）の玉径、玉数、玉ＰＣＤ及び予圧すき間の選定値を表２に示す。
【００４５】
【表２】
2005061433.tif 000004
【００４６】
表２に示される従来例Ｅ（従来軸受で、製造範囲内で最も動トルクが大きくなる条件）及び実施例Ａ〜Ｄの接触角αをαＥ＝３０°、αＡ＝１７．５°、αＢ＝２２．５°、αＣ＝２７．５°、αＤ＝３２．５°とし、溝曲率比ｆｅ及びｆｉをｆｅＥ＝ｆｉＥ＝０．５２、ｆｅＡ＝ｆｉＡ＝０．５４、ｆｅＢ＝ｆｉＢ＝０．５５６、ｆｅＣ＝ｆｉＣ＝０．５７１、ｆｅＤ＝ｆｉＤ＝０．５９１とした場合における動トルクを表３に示す。
【００４７】
【表３】
2005061433.tif 000005
表３の結果から、接触角αを１７．５°≦α≦３２．５°とし、溝曲率比ｆｅ，ｆｉをｆｅ＝ｆｉ＝０．５４〜０．５９１とすると、動トルクＴｒがＴｒ＝０．２８〜０．２８２Ｎ・ｍとなり、従来例Ｅの動トルクと同一かそれより低い値となることがわかる。
次に、実施例Ａ〜Ｄの接触角αをαＡ＝１５°、αＢ＝２０°、αＣ＝２５°、αＤ＝３０°とし、溝曲率比ｆｅ及びｆｉをｆｅＡ＝ｆｉＡ＝０．５５、ｆｅＢ＝ｆｉＢ＝０．５６、ｆｅＣ＝ｆｉＣ＝０．５８、ｆｅＤ＝ｆｉＤ＝０．６０とした場合における動トルクの結果を表４に示す。
【００４８】
【表４】
2005061433.tif 000006
【００４９】
表４の結果から、接触角αを１５°≦α≦３０°とし、溝曲率比ｆｅ，ｆｉをｆｅ＝ｆｉ＝０．５５〜０．６０とすると、動トルクＴｒがＴｒ＝０．２４〜０．２５５Ｎ・ｍとなり、表２に示す従来例Ｅの動トルクより低い値となることがわかる。
次に、従来例Ｅ（従来軸受で製造範囲内で最も動トルクが小さくなる条件）及び実施例Ａ〜Ｄの接触角αをαＥ＝２９°、αＡ＝１２．６°、αＢ＝１７．６°、αＣ＝２２．６°、αＤ＝２７．６°とし、溝曲率比ｆｅ及びｆｉをｆｅＥ＝ｆｉＥ＝０．５３、ｆｅＡ＝ｆｉＡ＝０．５５５、ｆｅＢ＝ｆｉＢ＝０．５７、ｆｅＣ＝ｆｉＣ＝０．５９、ｆｅＤ＝ｆｉＤ＝０．６１とした場合における動トルクの結果を表５に示す。
【００５０】
【表５】
2005061433.tif 000007
【００５１】
表５の結果から、接触角αを１２．６°≦α≦２７．６°とし、溝曲率比ｆｅ，ｆｉをｆｅ＝ｆｉ＝０．５５５〜０．６１とすると、動トルクＴｒがＴｒ＝０．２１５〜０．２２２Ｎ・ｍとなり、表２に示す従来例Ｅの動トルクより大きい値となることがわかる。つまり、表１に示す実施例Ａ〜Ｄを採用することで、従来例の（製造）実績範囲内の動トルクに抑えることが可能となる。
【００５２】
表３〜表５の解析計算結果を基に動トルクＴｒと接触角αおよび溝曲率比ｆｉ，ｆｅとの関係を三次元的に解析した結果を図８に、また動トルクＴｒと溝曲率比ｆｉ，ｆｅとの関係を解析した結果を図９に示す。図８及び図９の解析結果からも明らかなように、動トルクを抑えるためには、接触角αと溝曲率比ｆｉ，ｆｅを適正な値で組合せる必要があることがわかる。また、接触角αを１２．６°≦α≦２７．６°とし、溝曲率比ｆｅ，ｆｉをｆｅ＝ｆｉ＝０．５５５〜０．６１とすると、動トルクが小さくなっていくが、動トルクが小さ過ぎると、ボールねじの回転停止時における減速イナーシャにより、速やかな停止ができず、指示位置に対してオーバーシュートする可能性がある。また、軸受のアキシャル剛性が小さくなり、やはり、オーバーシュートが発生し易くなる。さらに、アキシャル負荷容量も小さくなるので、転がり疲労寿命も短くなる不具合が生じる。このことから、動トルクを従来例のバラツキ範囲内に抑え、スムーズな回転立上り性と回転立下り性を得るためには、接触角αと溝曲率比ｆｅ，ｆｉを表１に示す範囲内で組合せる必要があることがわかる。
【００５３】
次に、実施例Ａ〜Ｄの接触角αをαＡ＝１５°、αＢ＝２０°、αＣ＝２５°、αＤ＝３０°とし、溝曲率比ｆｅ及びｆｉをｆｅＡ＝ｆｉＡ＝０．５５、ｆｅＢ＝ｆｉＢ＝０．５６、ｆｅＣ＝ｆｉＣ＝０．５８、ｆｅＤ＝ｆｉＤ＝０．６０とした場合における各軸受のＰＶ値を表６に示す。
【００５４】
【表６】
2005061433.tif 000008
【００５５】
表６の結果から、接触角αを１５°≦α≦３０°とし、溝曲率比ｆｅ，ｆｉをｆｅ＝ｆｉ＝０．５５〜０．６０とすることによって、内輪と玉とのＰＶ値ＰＶｉがＰＶｉ＝４７〜８０ＭＰａ・ｍ／ｓになると共に外輪と玉とのＰＶ値ＰＶｅがＰＶｅ＝３２〜５８ＭＰａ・ｍ／ｓとなり、いずれも従来例のそれより高い値を示すことがわかる。
【００５６】
図１０は表６の解析計算結果を基に内輪ＰＶ値と溝曲率比及び接触角との関係を示す図で、図１１は同じく表６の解析計算結果を基に内輪ＰＶ値と溝曲率比との関係を示す図である。また、図１２は表６の解析計算結果を基に外輪ＰＶ値と溝曲率比及び接触角との関係を示す図で、図１３は同じく表６の解析計算結果を基に外輪ＰＶ値と溝曲率比との関係を示す図である。
【００５７】
図１０〜図１３からわかるように、ＰＶ値の大小は動トルク、軸受温度上昇以外に接触部の耐摩耗特性にも影響する。半導体チップ等の電子部品を基板上に実装する電子部品実装装置や放電加工機、レーザ加工機等の電解加工機などでは、最近、ボールねじの高速回転が要求されている。急加速及び急減速時の不安定な滑り条件での耐摩耗特性を満足させるためには、ＰＶ値をより小さくする必要がある。従来例Ｅ及び実施例Ａ〜ＤにおけるＰＶ値をまとめると、表６の通りとなる。動トルク値を一定にした場合、接触角が小さく、かつ溝曲率比の小さいほうがＰＶ値は小さくなる（実施例Ａの方）。いずれの仕様も過去の軸受の実績から判断される限界ＰＶ値以下であるので、摩耗の問題は極めて少ないが、ボールねじ回転部の重量や急加速及び急減速時の発生Ｇに対応して、必要とされるアキシャル剛性要求値や軸受温度上昇特性に応じ、いずれの考案仕様（実施例Ａ〜Ｄ）を選定してもよい。
【００５８】
次に、実施例Ａ〜Ｄの接触角αをαＡ＝１５°、αＢ＝２０°、αＣ＝２５°、αＤ＝３０°とし、溝曲率比ｆｅ及びｆｉをｆｅＡ＝ｆｉＡ＝０．５５、ｆｅＢ＝ｆｉＢ＝０．５６、ｆｅＣ＝ｆｉＣ＝０．５８、ｆｅＤ＝ｆｉＤ＝０．６０とした場合における各軸受のアキシャル変位ａｄ（μｍ／１０００Ｎ：１０００Ｎのアキシャル荷重を負荷した時のアキシャル変位を表す）を解析計算した結果を表７に示す。
【００５９】
【表７】
2005061433.tif 000009
【００６０】
表７の結果から、接触角αを１５°≦α≦３０°とし、溝曲率比ｆｅ，ｆｉをｆｅ＝ｆｉ＝０．５５〜０．６０とすることによって、各軸受のアキシャル変位ａｄがａｄ＝４〜１４となり、いずれの場合も従来例のアキシャル変位と同一かそれより大きい値を示すことがわかる。
ボールねじのアキシャル剛性は、ボールねじ支持用軸受以外にボールねじ軸とナット間の剛性やボールねじ軸自身の剛性にも影響する。また、使用される機械の種類や使用条件により、要求される剛性値は変わる。
表７の結果から、接触角が大きく、かつ溝曲率比が大きいほう（実施例Ｄ）がアキシャル剛性は大きくなる。前述のＰＶ値の要求も考慮し、必要とされるアキシャル剛性要求に応じて、いずれの考案仕様（実施例Ａ〜Ｄ）を選定してもよい。
【００６１】
図１４は、予圧された多点接触玉軸受（実施例Ｂに相当）に外部からアキシャル荷重を負荷した時の動トルクを、３種類の予圧すき間（Δα＝−５μｍ、−１０μｍ、−１５μｍ）の条件で解析した結果を示す図である。いずれの予圧すき間の場合も動トルクはアキシャル荷重の増加と共に一時的に上昇し、その後、減少して再上昇するという傾向であることがわかる。これは、アキシャル荷重によって軸受の軸方向弾性変形が生じ、内外輪と玉との接触点が初期外部荷重時（０Ｎ）の４点接触から３点あるいは２点接触に変化したことによるものである。このように、初期の４点接触からアキシャル荷重の増加と共に２点接触に移行することで、アキシャル荷重が増加しても結果的に動トルクを少なくすることができる。
【００６２】
また、図１４からわかるように、予圧すき間を小さく設定すると、４点から２点接触に移行する過渡期の動トルク最大値も小さくできる。このことは、実使用条件に置き換えれば適正な予圧すき間選定により、急加速及び急減速時の往復動イナーシャ荷重による動トルク増加を接触点の減少によって軽減できることを意味する。種々の解析結果、最低限、ボールねじの軸方向がたを抑え、かつスムーズな回転特性を得るためには、実際の想定荷重条件を考慮した結果、予圧すき間を０〜−１０μｍ程度に設定することで、動トルク軽減効果が出て来ることがわかった。
【００６３】
以上のことから、実施例Ａ及びＤは従来品に比べＰＶ値およびアキシャル剛性の点で機能の低下がやや大きめであり、実施例Ｂあるいは実施例Ｃはバランスがとれており、より好ましい。
次に、表８に示される仕様の試験軸受Ａ〜Ｅ（軸受内径：１２ｍｍ、軸受外径：２８ｍｍ、玉ピッチ円径：２０ｍｍ）を使用して、玉軸受の動トルク特性を回転数：１０〜５０００ｍｉｎ−１（５０００ｍｉｎ−１は軸受のｄｍｎ値として１０万に相当）、潤滑：グリース（基油粘度；１５×１０−５ｍ２／ｓ）の条件で試験した結果を図１５に、また玉軸受の温度上昇特性を上記と同じ条件で試験した結果を図１６に示す。
【００６４】
【表８】
2005061433.tif 000010
【００６５】
図１５及び図１６に示される試験結果から、表８の実施例Ａ〜Ｄは回転数が５０００ｍｉｎ−１（ボールねじ用多点接触玉軸受として使用した場合に想定される最高回転数領域）のときに、その動トルクと軸受温度上昇（軸受温度−室温）が従来のアンギュラ玉軸受（従来例Ｅ）のそれらとほぼ同じ値を示すことがわかる。
また、図１５に示される試験結果から、表８の実施例Ａ〜Ｄは回転数が低速域から高速域に移行したときに、その動トルクの変化が従来例Ｅに比べて小さいことがわかる。したがって、表８の実施例Ａ〜Ｄでは急加減速したときの動トルク変動によるイナーシャ変動を抑えることができ、その結果、ボールねじが急停止したときのオーバーシュート等をより効果的に防止することができる。
【００６６】
以上のことから、本発明に係るボールねじ支持用多点接触玉軸受は、アンギュラ玉軸受と同等レベル若しくはそれ以上の動トルク特性と温度上昇特性を保持しつつ省スペース化を得ることができる。
なお、本発明は上述した実施形態に限定されるものではない。たとえば、上述した実施形態では本発明を４点接触玉軸受に適用したが、本発明を３点接触玉軸受に適用してもよい（図１８及び図２０参照）。
【００６７】
【発明の効果】
以上説明したように、本発明に係る多点接触玉軸受によれば、軌道輪を構成する円筒部材の端面同士を突き合わせた状態に保持するスナップリングを金属で形成しなくてもよいので、軌道輪の変形やスナップリングのガタツキによる振動音の発生等を抑制することができる。また、外輪または内輪の脱落防止が可能となり、取扱い性の向上と組付け性の向上を図ることができる。
【図面の簡単な説明】
【図１】本発明の第１の実施形態に係るボールねじ支持用軸受の構造を示す断面図である。
【図２】図１に示される４点接触玉軸受の軸方向断面図である。
【図３】図２に示される内輪の一部分を示す軸方向断面図である。
【図４】保持器の一部を示す斜視図である。
【図５】本発明の第２の実施形態に係るボールねじ支持用軸受の構造を示す断面図である。
【図６】図５に示される４点接触玉軸受の軸方向断面図である。
【図７】図６に示される外輪の一部分を示す軸方向断面図である。
【図８】表３〜表５の結果を基に動トルクと接触角及び溝曲率比との関係を三次元的に示す図である。
【図９】表３〜表５の結果を基に動トルクと溝曲率比との関係を示す線図である。
【図１０】表６の結果を基に内輪ＰＶ値と接触角と溝曲率比との関係を三次元的に示す図である。
【図１１】表６の結果を基に内輪ＰＶ値と溝曲率比との関係を示す線図である。
【図１２】表６の結果を基に外輪ＰＶ値と接触角と溝曲率比との関係を三次元的に示す図である。
【図１３】表６の結果を基に外輪ＰＶ値と溝曲率比との関係を示す線図である。
【図１４】外部からアキシャル荷重を負荷した時の動トルクを解析した結果を示す図である。
【図１５】玉軸受の動トルクと回転数との関係を示す図である。
【図１６】玉軸受の軸受温度上昇（軸受温度−室温）と回転数との関係を示す図である。
【図１７】４点接触玉軸受の構造を示す図で、（ａ）は内輪が分割された４点接触玉軸受の軸方向断面図、（ｂ）は外輪が分割された４点接触玉軸受の軸方向断面図である。
【図１８】３点接触玉軸受の構造を示す図で、（ａ）は内輪が分割された３点接触玉軸受の軸方向断面図、（ｂ）は外輪が分割された３点接触玉軸受の軸方向断面図である。
【図１９】４点接触玉軸受の軌道輪に形成された軌道溝の断面形状を示す図である。
【図２０】３点接触玉軸受の軌道輪に形成された軌道溝の断面形状を示す図である。
【図２１】従来のボールねじ支持用軸受を示す断面図である。
【図２２】図２１に示される二列組合せ玉軸受の軸方向断面図である。
【符号の説明】
２    軸受ハウジング
３    オイルシール
５    ボールねじ軸
６    押えリング
７    軸受ナット
１０    ４点接触玉軸受
１０ａ    外輪
１０ｂ    内輪
１０ｃ    玉
１０ｄ    保持器
１０ｅ    外輪軌道溝
１０ｆ    内輪軌道溝
１１    予圧すき間
１２ａ，１２ｂ    円筒部材
１３    軌道溝分断面
１４    スナップリング
１５ａ，１５ｂ    係合片部
１６ａ，１６ｂ    スナップリング溝
１６ａ１，１６ｂ１    スナップリング溝の肩部
１６ａ２，１６ｂ２    スナップリング溝の溝底部
１７    治具挿入孔
１８ａ，１８ｂ    円筒部材
１９    軌道溝分断面
２０    スナップリング
２１ａ，２１ｂ    係合片部
２２ａ，２２ｂ    スナップリング溝
２２ａ１，２２ｂ１    スナップリング溝の肩部
２２ａ２，２２ｂ２    スナップリング溝の溝底部
２３    治具挿入孔
【図１】
2005061433.tif 000011
【図２】
2005061433.tif 000012
【図３】
2005061433.tif 000013
【図４】
2005061433.tif 000014
【図５】
2005061433.tif 000015
【図６】
2005061433.tif 000016
【図７】
2005061433.tif 000017
【図８】
2005061433.tif 000018
【図９】
2005061433.tif 000019
【図１０】
2005061433.tif 000020
【図１１】
2005061433.tif 000021
【図１２】
2005061433.tif 000022
【図１３】
2005061433.tif 000023
【図１４】
2005061433.tif 000024
【図１５】
2005061433.tif 000025
【図１６】
2005061433.tif 000026
【図１７】
2005061433.tif 000027
【図１８】
2005061433.tif 000028
【図１９】
2005061433.tif 000029
【図２０】
2005061433.tif 000030
【図２１】
2005061433.tif 000031
【図２２】
2005061433.tif 000032